(57)【要約】  【課題】  レンズキャップを簡便に保持できる構造を備え、しかもこれが外観に及ぼす影響の小さいプロジェクタを提供する。  【解決手段】  プロジェクタ１の筐体１０からは投影レンズ１１の鏡筒１２が突出する。鏡筒１２には着脱自在なレンズキャップ１３が付属する。筐体１０の一部には鏡筒１２から取り外したレンズキャップ１３を保持する保持部２０が形成されている。保持部２０には、レンズキャップ１３の保持に応答して光源への通電を可能とするスイッチ３５が配設される。スイッチ３５は、アクチュエータ３６がレンズキャップ１３で押されて退避姿勢となることにより光源への通電を可能にし、アクチュエータ３６がレンズキャップ１３で再度押されて進出姿勢となることにより光源への通電を不可能とするものである。【選択図】      図６
2006023629.tif 000002
【特許請求の範囲】
【請求項１】
光源を含む光路形成要素を内蔵した筐体より投影レンズの鏡筒を突出させるとともに、
この鏡筒に着脱自在なレンズキャップを付属させたプロジェクタにおいて、
前記筐体の一部に、前記鏡筒から取り外したレンズキャップを保持する保持部を形成し
、この保持部は、少なくとも一部が筐体に形成した凹部により構成され、レンズキャップ
の少なくとも一部を筐体内に没入させるものであり、この保持部には、保持部によるレン
ズキャップの保持に応答して前記光源への通電を可能とするスイッチを配設するとともに
、このスイッチは、そのアクチュエータがレンズキャップで押されて退避姿勢となること
により光源への通電を可能にし、アクチュエータがレンズキャップで再度押されて進出姿
勢となることにより光源への通電を不可能とするものであることを特徴とするプロジェク
タ。
【請求項２】
光源を含む光路形成要素を内蔵した筐体より投影レンズの鏡筒を突出させるとともに、
この鏡筒に着脱自在なレンズキャップを付属させたプロジェクタにおいて、
前記筐体の一部に、前記鏡筒から取り外したレンズキャップを保持する保持部を形成す
ることを特徴とするプロジェクタ。
【請求項３】
前記保持部は、少なくとも一部が前記筐体に形成した凹部により構成され、前記レンズ
キャップの少なくとも一部を筐体内に没入させるものであることを特徴とする請求項２に
記載のプロジェクタ。
【請求項４】
前記保持部に、この保持部による前記レンズキャップの保持に応答して前記光源への通
電を可能とするスイッチを配設することを特徴とする請求項２又は３に記載のプロジェク
タ。
【発明の詳細な説明】
【技術分野】
【０００１】
本発明は映像を投影するプロジェクタに関する。
【背景技術】
【０００２】
プロジェクタにおいて、投影レンズはきわめて重要な部品であり、レンズ面に傷がつか
ないように保護しなければならない。投影レンズの保護については、これまでにも様々な
手法が提案されている。特許文献１に記載されたプロジェクタでは、投影レンズの前面を
開閉するレンズカバーをケースに対して移動自在に配設している。特許文献２に記載され
たプロジェクタでは、把手をレンズカバーに設け、把手を握って本体を垂下することによ
りレンズカバーがレンズ部を閉塞するようにしている。特許文献３に記載されたプロジェ
クタでは、投射レンズにレンズキャップを被せている。特許文献４に記載されたプロジェ
クタでは、投影レンズを有する第１筐体に対し第２筐体を回動可能に連結し、第２筐体に
よって投影レンズが覆われるようにしている。特許文献５に記載されたプロジェクタでは
、電源コードの先端部にレンズ保護用のキャップを設けている。
【特許文献１】特開平５−２０７４０５号公報（第３頁、図１）
【特許文献２】特開平１１−１４９５８号公報（第３頁、図１−５）
【特許文献３】特開２０００−１１２０２９号公報（第３頁、図２−３）
【特許文献４】特開２００３−８４３６７号公報（第５頁、図１−２）
【特許文献５】特開平１０−３１９５０５号公報（第２−３頁、図１−３）
【発明の開示】
【発明が解決しようとする課題】
【０００３】
投影レンズを保護するについては、レンズキャップを用いるのが最もコスト安である。
しかしながらレンズキャップは紛失しやすい。特許文献１、２、４に記載されたプロジェ
クタのように、投影レンズを保護する仕組みを本体そのものに設けることとすれば、紛失
の恐れはない。しかしながらこれは構造の複雑化あるいは特殊化を招き、コストアップを
避けられない。
【０００４】
レンズ保護手段としてのレンズキャップには、簡便且つ安価というメリットがある。こ
のメリットを生かしつつ、紛失という問題に対処するため色々な工夫がなされてきた。最
も一般的なのは紐で本体につないでおくことである。特許文献５のように電源コードに取
り付けておくという方法もある。しかしながらこれらはデザイン的に優れているとは言い
難く、商品価値の向上に結びつけるのは難しい。
【０００５】
本発明は上記の点に鑑みなされたものであり、レンズキャップを簡便に保持できる構造
を備え、しかもこれが外観に及ぼす影響の小さいプロジェクタを提供することを目的とす
る。また、レンズキャップを正しく保持させないかぎり投影動作を開始できないようにし
てレンズキャップの正しい保持へのインセンティブを高めたプロジェクタを提供すること
を目的とする。
【課題を解決するための手段】
【０００６】
上記目的を達成するために、請求項１の発明は、光源を含む光路形成要素を内蔵した筐
体より投影レンズの鏡筒を突出させるとともに、この鏡筒に着脱自在なレンズキャップを
付属させたプロジェクタにおいて、前記筐体の一部に、前記鏡筒から取り外したレンズキ
ャップを保持する保持部を形成し、この保持部は、少なくとも一部が筐体に形成した凹部
により構成され、レンズキャップの少なくとも一部を筐体内に没入させるものであり、こ
の保持部には、保持部によるレンズキャップの保持に応答して前記光源への通電を可能と
するスイッチを配設するとともに、このスイッチは、そのアクチュエータがレンズキャッ
プで押されて退避姿勢となることにより光源への通電を可能にし、アクチュエータがレン
ズキャップで再度押されて進出姿勢となることにより光源への通電を不可能とするものと
したプロジェクタを提供する。
【０００７】
この構成によれば、筐体の一部に専用の保持部が設けられているから、鏡筒から取り外
したレンズキャップを筐体に保持させておくことにより、レンズキャップの紛失を防止す
ることができる。
【０００８】
また、筐体の外面に突起部をつくることなくレンズキャップを保持させることができ、
外観及び、筐体を持ったときの手ざわりの両面において優れたものになる。
【０００９】
また、保持部にレンズキャップを保持させないかぎり光源に通電できない、すなわちプ
ロジェクタを使用できないので、レンズキャップを保持部に正しく保持させることについ
て強力な動機づけがなされ、レンズキャップの紛失防止に大きく寄与する。しかも、レン
ズキャップを鏡筒にかぶせたままでは光源を発光させることができないので、レンズキャ
ップが光によって熱せられ、変形するということがない。
【００１０】
また、光源への通電を可能とするスイッチは、そのアクチュエータがレンズキャップで
押されて退避姿勢となることにより光源への通電を可能とするとともに、アクチュエータ
がレンズキャップで再度押されて進出姿勢となることにより光源への通電を不可能とする
ものであり、プロジェクタの使用を終えるときには進出姿勢をとったアクチュエータがレ
ンズキャップをポップアップさせるので、レンズキャップの取り出しがきわめて容易であ
る。
【００１１】
請求項２の発明は、光源を含む光路形成要素を内蔵した筐体より投影レンズの鏡筒を突
出させるとともに、この鏡筒に着脱自在なレンズキャップを付属させたプロジェクタにお
いて、前記筐体の一部に、前記鏡筒から取り外したレンズキャップを保持する保持部を形
成したプロジェクタを提供する。
【００１２】
この構成によれば、筐体の一部に専用の保持部が設けられているから、鏡筒から取り外
したレンズキャップを筐体に保持させておくことにより、レンズキャップの紛失を防止す
ることができる。
【００１３】
請求項３の発明では、請求項２のプロジェクタにおいて、前記保持部は、少なくとも一
部が前記筐体に形成した凹部により構成され、前記レンズキャップの少なくとも一部を筐
体内に没入させるものとする。
【００１４】
この構成によれば、筐体の外面に突起部をつくることなくレンズキャップを保持させる
ことができ、外観及び、筐体を持ったときの手ざわりの両面において優れたものになる。
【００１５】
請求項４の発明では、請求項２又は３のプロジェクタにおいて、前記保持部に、この保
持部による前記レンズキャップの保持に応答して前記光源への通電を可能とするスイッチ
を配設する。
【００１６】
この構成によれば、保持部にレンズキャップを保持させないかぎり光源に通電できない
、すなわちプロジェクタを使用できないので、レンズキャップを保持部に正しく保持させ
ることについて強力な動機づけがなされ、レンズキャップの紛失防止に大きく寄与する。
しかも、レンズキャップを鏡筒にかぶせたままでは光源を発光させることができないので
、レンズキャップが光によって熱せられ、変形するということがない。
【発明の効果】
【００１７】
以上のように本発明によれば、鏡筒から取り外したレンズキャップを保持する保持部を
筐体の一部に形成したから、レンズキャップを取り外したその手でレンズキャップを保持
部に保持させることにより、レンズキャップの紛失の機会を減らすことができる。また保
持部の少なくとも一部を筐体に形成した凹部で構成することにより、外観と手ざわりの両
方を向上させることができる。さらに、レンズキャップの保持に応答して光源への通電を
可能とするスイッチを保持部に配設することにより、レンズキャップを保持部に正しく保
持させることについての動機づけを行うことができる。そして、プロジェクタの使用を終
えるべくレンズキャップでスイッチを操作したときにはスイッチのアクチュエータがレン
ズキャップをポップアップさせるから、レンズキャップがの取り出しやすさが格段に向上
する。
【発明を実施するための最良の形態】
【００１８】
以下、添付図面を参照しつつ本発明の各実施形態を説明する。第１実施形態を図１、２
に示す。図１、２はいずれもプロジェクタの外観斜視図で、異なる使用状況を示すもので
ある。
【００１９】
プロジェクタ１は略直方体形状の筐体１０を有する。筐体１０は光源を含む光路構成要
素を内蔵するものであり、光路の末端をなす投影レンズ１１の鏡筒１２をその一側面から
突出させている。鏡筒１２には、その端部に外側から嵌合するレンズキャップ１３が付属
する。レンズキャップ１３は、合成樹脂又は金属、あるいはこれらの組み合わせにより形
成される、一般的な構造のものである。
【００２０】
筐体１０の側面には、鏡筒１２から取り外したレンズキャップ１３を保持する保持部２
０が形成される。第１実施形態の場合、保持部２０は筐体側面から突出した３個の突起２
１により構成される。３個の突起２１は正三角形をなすように配置され、その中にレンズ
キャップ１３をすっぽりと収めることができる。これにより、鏡筒１２からレンズキャッ
プ１３を取り外したその手でレンズキャップ１３を保持部２０に保持させることができ、
レンズキャップ１３の紛失の機会を減らすことができる。
【００２１】
筐体１０を多少傾けたとしても保持部２０からレンズキャップ１３が脱落することのな
いよう、レンズキャップ１３と突起２１の間には適当なレベルの摩擦を働かせる。レンズ
キャップ１３と突起２１の間の摩擦係数と接触圧を調整することにより、適切な摩擦を得
ることができる。３個の突起２１の内側包絡面が筐体１０の側に広がったテーパ面となる
ようにして、レンズキャップ１３に対し、これを筐体１０の側に引き寄せる力が作用する
ようにしてもよい。
【００２２】
第２実施形態を図３、４に示す。図３、４はいずれも外観斜視図で、異なる使用状況を
示すものである。なお、第１実施形態と共通する構成要素には第１実施形態の説明で用い
たのと同じ符号を付し、説明は省略する。第３実施形態以下の実施形態でも同じやり方を
踏襲し、既出の構成要素には前と同じ符号を付し、説明は省略するものとする。
【００２３】
第２実施形態では、筐体１０の側面に形成したリング状の凹部２２により保持部２０を
構成する。凹部２２には、レンズキャップ１３をゆとりをもって受け入れられる直径を持
たせる。また凹部２２の中心に残した円形段部２３の外径は鏡筒１２の外径に等しくする
。鏡筒１２からレンズキャップ１３を取り外した後、レンズキャップ１３を円形段部２３
にはめ替えれば、レンズキャップ１３は一部が筐体１０内に没入した形で保持される。こ
れにより、レンズキャップ１３の紛失の機会を減らすことができる。保持部２０を構成す
るのが凹部２２であるから、突起が突き出しているのに比べ、筐体１０を持ったときの手
ざわりが良く、見た目も良い。
【００２４】
第３実施形態を図５、６に示す。図５、６はいずれも外観斜視図で、異なる使用状況を
示すものである。
【００２５】
第３実施形態では、筐体１０の上面に形成したポケット状の凹部２４により保持部２０
を構成する。鏡筒１２から取り外したレンズキャップ１３を凹部２４に立てて入れること
により、レンズキャップ１３は一部が筐体１０内に没入した形で保持される。これにより
、レンズキャップ１３の紛失の機会を減らすことができる。第２実施形態と同様、保持部
２０を構成するのが突起でなく凹部２４であるから、筐体１０を持ったときの手ざわりが
良く、見た目も良い。
【００２６】
第４実施形態を図７−９に示す。第４実施形態は第３実施形態の改良態様と位置づけら
れるものである。図７、８は筐体の部分垂直断面図にして異なる使用状況を示すもの、図
９は回路構成の概略図である。
【００２７】
第４実施形態では、ポケット状の凹部２４の下に常開型のマイクロスイッチ２５を配置
した。マイクロスイッチ２５は筐体１０内に配置された回路基板２７に支持され、そのア
クチュエータ２６を、凹部２４の底に穿った透孔２８を通じて凹部２４の中に突出させて
いる。
【００２８】
回路中におけるマイクロスイッチ２５の配置は図９に示す通りである。図９において、
３０は商用電源、３１は整流回路、３２は光源回路や光源からの光を透過させる液晶パネ
ルの駆動回路などを含む負荷回路であり、マイクロスイッチ２５は整流回路３１及び負荷
回路３２と直列に接続されている。
【００２９】
図７は凹部２４にレンズキャップ１３を入れる前の状態を示す。この時はマイクロスイ
ッチ２５は開状態にあり、プロジェクタ１の電源コードが商用電源に接続されていたとし
ても光源に通電されることはない。従って、レンズキャップ１３を鏡筒１２にかぶせたま
まの状態で光源が光を放ち、その光によってレンズキャップ１３が熱せられ、変形すると
いうことがない。
【００３０】
プロジェクタ１を使用するときは、鏡筒１２から取り外したレンズキャップ１３を凹部
２４に落とし込む（図７参照）。レンズキャップ１３はマイクロスイッチ２５のアクチュ
エータ２６に当たってこれを押し、以後、自己の質量でアクチュエータ２６を押さえ続け
る（図８参照）。これにより、マイクロスイッチ２５は閉状態となり、光源への通電が可
能になる。レンズキャップ１３を凹部２４から取り出せばマイクロスイッチ２５は再び開
状態となり、光源は発光できなくなる。
【００３１】
なお、筐体１０内部の熱の蓄積具合によっては、光源への通電を停止した後も冷却ファ
ンを運転し続けることが必要になる。そのため、光源回路とは別に冷却ファン回路を設け
、筐体１０の内部が所定温度以下に冷却されるまで冷却ファンを遅延動作させるものとす
る。これは第５−７実施形態についても言えることである。
【００３２】
第５実施形態を図１０−１２に示す。第５実施形態は第４実施形態の変形態様と位置づ
けられるものである。図１０、１１は筐体の部分垂直断面図にして異なる使用状況を示す
もの、図１２は回路構成の概略図である。
【００３３】
第５実施形態では、第４実施形態で用いたマイクロスイッチ２５に替え、透過型光セン
サ、すなわちフォトインタラプタ３３を凹部２４に配置した。回路構成においては、負荷
回路３２に制御回路３４を接続し、制御回路３４がフォトインタラプタ３３からの信号を
得て負荷回路３２への通電を制御する形にした。
【００３４】
図１０は凹部２４にレンズキャップ１３を入れる前の状態を示す。プロジェクタ１が商
用電源に接続されている場合、フォトインタラプタ３３は発光ユニット３３ａからの光を
受光ユニット３３ｂに届かせている。この時は、制御回路３３は負荷回路３２への通電を
許可しない。従って、レンズキャップ１３を鏡筒１２にかぶせたままの状態で光源が光を
放ち、その光によってレンズキャップ１３が熱せられ、変形するということがない。
【００３５】
プロジェクタ１を使用するときは、鏡筒１２から取り外したレンズキャップ１３を凹部
２４に落とし込む（図１０参照）。凹部２４に落ち込んだレンズキャップ１３はフォトイ
ンタラプタ３３の光路を遮り、フォトインタラプタ３３の信号状態が変わる。これを受け
て制御回路３４は負荷回路３２への通電を許可し、投影が開始されることになる。レンズ
キャップ１３を凹部２４から取り出せばフォトインタラプタ３３の信号状態が変わり、光
源は発光できなくなる。
【００３６】
第６実施形態を図１３、１４に示す。第６実施形態は第４実施形態のさらなる改良と位
置づけられる。図１３、１４は筐体の部分垂直断面図にして異なる使用状況を示すもので
ある。
【００３７】
第６実施形態では、第４実施形態で用いたマイクロスイッチ２５に替え、push-push型
の動作を行うスイッチ３５を凹部３５の下に配置した。スイッチ３５は、一度押すことに
よりアクチュエータ３５が進出姿勢から退避姿勢になって閉状態が得られ、再度押すとア
クチュエータ３６が進出姿勢に復帰し、同時に開状態が得られるものである。スイッチ３
５は図９におけるマイクロスイッチ２５の接続と同様の形で回路中に配置される。
【００３８】
プロジェクタ１を使用するときは、鏡筒１２から取り外したレンズキャップ１３を凹部
２４に落とし込んだ後、上から指で押す。するとレンズキャップ１３を介してスイッチ３
５のアクチュエータ３６が押され、アクチュエータ３６は点線で示す進出姿勢から実線で
示す退避姿勢へと変位する（図１３参照）。これによりスイッチ３５は閉状態になり、光
源への通電が可能になる。
【００３９】
プロジェクタ１の使用を終了するときは、図１３の状態にあるレンズキャップ１３を上
から押す。すると図１４に示すように、アクチュエータ３６は一旦スイッチ３５の中に沈
み込んでからはね上がり、進出姿勢に復帰する。これと共にスイッチ３５は開状態になる
。進出姿勢に復帰するアクチュエータ３６によりレンズキャップ１３が押し上げられ、「
ポップアップ」の状態になる。レンズキャップ１３が凹部２４から大きくとび出すので、
レンズキャップ１３をつまんで凹部２４から取り出すのが容易になる。
【００４０】
第７実施形態を図１５、１６に示す。図１５、１６は筐体の部分垂直断面図にして異な
る使用状況を示すものである。
【００４１】
第７実施形態は、第６実施形態で用いたpush-push型のスイッチ３５を第２実施形態に
適用したものである。すなわち、凹部２２の底部の対称位置にそれぞれ透孔３７を設け、
そこからスイッチ３５のアクチュエータ３６を突出させる。スイッチ３５は２個あるが、
回路に接続されるのは１個だけで、残りの１個はポップアップ力を得るためのダミーであ
る。なおレンズキャップ１３と円形段部２３の間に大きな摩擦が働かないようにするため
、円形段部２３の外径は第２実施形態の場合より少し小さくする。
【００４２】
プロジェクタ１を使用するときは、鏡筒１２から取り外したレンズキャップ１３を円形
段部２３にかぶせ、筐体１０の内側に向けて指で押す。するとレンズキャップ１３を介し
てスイッチ３５のアクチュエータ３６が押され、アクチュエータ３６は退避姿勢になる（
図１５参照）。これによりスイッチ３５は閉状態になり、光源への通電が可能になる。
【００４３】
プロジェクタ１の使用を終了するときは、図１５の状態にあるレンズキャップ１３をも
う一度押す。すると図１５に示すように、アクチュエータ３６は一旦スイッチ３５の中に
沈み込んでから突出し、進出姿勢に復帰する。これと共にスイッチ３５は開状態になる。
進出姿勢に復帰するアクチュエータ３６によりレンズキャップ１３が凹部２２から押し出
され、「ポップアップ」の状態になる。レンズキャップ１３が凹部２２から大きくとび出
すので、レンズキャップ１３を凹部２２から取り出すのが容易になる。
【００４４】
アクチュエータ３６の突出力が十分に強ければ、スイッチ３５を１個だけにすることも
可能である。この場合、レンズキャップ１３は多少傾いた状態でポップアップすることに
なる。
【００４５】
以上本発明の各実施形態につき説明したが、発明の主旨を逸脱しない範囲でさらに種
々の変更を加えて実施することができる。
【産業上の利用可能性】
【００４６】
本発明は、レンズキャップを備えるプロジェクタ全般に利用可能である。
【図面の簡単な説明】
【００４７】
【図１】第１実施形態のプロジェクタの外観斜視図
【図２】第１実施形態のプロジェクタの外観斜視図にして、図１と異なる使用状況を示すもの
【図３】第２実施形態のプロジェクタの外観斜視図
【図４】第２実施形態のプロジェクタの外観斜視図にして、図３と異なる使用状況を示すもの
【図５】第３実施形態のプロジェクタの外観斜視図
【図６】第３実施形態のプロジェクタの外観斜視図にして、図５と異なる使用状況を示すもの
【図７】第４実施形態のプロジェクタの部分垂直断面図
【図８】第４実施形態のプロジェクタの部分垂直断面図にして、図７と異なる使用状況を示すもの
【図９】回路構成の概略図
【図１０】第５実施形態のプロジェクタの部分垂直断面図
【図１１】第５実施形態のプロジェクタの部分垂直断面図にして、図１０と異なる使用状況を示すもの
【図１２】回路構成の概略図
【図１３】第６実施形態のプロジェクタの部分垂直断面図
【図１４】第６実施形態のプロジェクタの部分垂直断面図にして、図１３と異なる使用状況を示すもの
【図１５】第７実施形態のプロジェクタの部分垂直断面図
【図１６】第６実施形態のプロジェクタの部分垂直断面図にして、図１５と異なる使用状況を示すもの
【符号の説明】
【００４８】
１    プロジェクタ
１０  筐体
１１  投影レンズ
１２  鏡筒
１３  レンズキャップ
２０  保持部
２１  突起
２２、２４  凹部
２５  マイクロスイッチ
３３  フォトインタラプタ
３５  スイッチ
３６  アクチュエータ
【図１】
2006023629.tif 000003
【図２】
2006023629.tif 000004
【図３】
2006023629.tif 000005
【図４】
2006023629.tif 000006
【図５】
2006023629.tif 000007
【図６】
2006023629.tif 000008
【図７】
2006023629.tif 000009
【図８】
2006023629.tif 000010
【図９】
2006023629.tif 000011
【図１０】
2006023629.tif 000012
【図１１】
2006023629.tif 000013
【図１２】
2006023629.tif 000014
【図１３】
2006023629.tif 000015
【図１４】
2006023629.tif 000016
【図１５】
2006023629.tif 000017
【図１６】
2006023629.tif 000018